(57)【要約】【課題】  祭壇に飾られる遺影を強調し、故人を偲ぶ葬祭方法を提供する。【解決手段】  遺影１１が配置された祭壇１２及び会葬者席１３が設けられた葬祭会場１０での葬祭方法において、祭壇１２と会葬者席１３との間に紗幕１７が配置され、更に祭壇１２と紗幕１７との間に設けられ遺影１１を照らすスポットライト１８から照射される光によって、会葬者席１３側から紗幕１７を通して遺影１１を見ることができ、遺影１１以外の祭壇１２等はよく見えず、遺影１１が浮きだって強調され、故人を偲ぶことができる。【選択図】        図１
2005253528.tif 000002
【特許請求の範囲】
【請求項１】
遺影が配置された祭壇及び会葬者席が設けられた葬祭会場での葬祭方法において、
前記祭壇と前記会葬者席との間に紗幕が配置され、更に該祭壇と該紗幕との間に設けられ前記遺影を照らすスポットライトから照射される光によって、前記会葬者席側から前記紗幕を通して前記遺影を見ることを特徴とする葬祭方法。
【請求項２】
請求項１記載の葬祭方法において、前記紗幕には前記会葬者席側から映像が照射されることを特徴とする葬祭方法。
【請求項３】
請求項１及び２のいずれか１項に記載の葬祭方法において、前記スポットライトは、前記葬祭会場内の司会者席に設置されるリモコンで操作が可能であることを特徴とする葬祭方法。
【発明の詳細な説明】
【技術分野】
【０００１】
本発明は、遺影を強調する葬祭方法に関する。
【背景技術】
【０００２】
従来の葬祭、例えば仏式の葬儀では、葬儀会場に生花、花輪を飾り、僧侶の読経、弔辞、弔電、焼香等を行って故人を偲んでいる。しかしながら、どの葬儀もほぼ同じであり、形式的であり、遺族や参列者の印象に残りにくいという問題があった。そこで、例えば、特許文献１には、葬儀会場の参列者や関係者から故人へのメッセージを葬儀用メッセージカードに記入してもらい、葬儀会場内に直筆のメッセージを写し出し、参列者（会葬者）に見せる葬儀方法が開示されている。
【０００３】
【特許文献１】特開２００２−６５４５０号公報
【発明の開示】
【発明が解決しようとする課題】
【０００４】
しかしながら、特許文献１の発明では、メッセージを写し出すスクリーン、テレビ受信機等を祭壇の近傍、例えば、左端、右端、上部に設けなければならず、設置場所の確保が難しく、また、祭壇に飾られた遺影よりもメッセージに目が行き易くなるという問題がある。また、通常、会葬者は葬儀開始直前に来ることが多いので、葬儀前にメッセージカードに記入する時間が取れないという問題もある。更に、葬儀中にメッセージを写し出すと、読経等に集中できず、本来の葬儀の意味が薄れてしまうという問題もある。
【０００５】
本発明はかかる事情に鑑みてなされたもので、祭壇に飾られる遺影を強調し、故人を偲ぶ葬祭方法を提供することを目的とする。
【課題を解決するための手段】
【０００６】
前記目的に沿う請求項１記載の葬祭方法は、遺影が配置された祭壇及び会葬者席が設けられた葬祭会場での葬祭方法において、
前記祭壇と前記会葬者席との間に紗幕が配置され、更に該祭壇と該紗幕との間に設けられ前記遺影を照らすスポットライトから照射される光によって、前記会葬者席側から前記紗幕を通して前記遺影を見る。
【０００７】
請求項１記載の葬祭方法において、葬祭とは、例えば仏式において葬儀、告別式、法事等の祭祀を指す。通常、祭祀は、祭祀を行う祭祀者、つまり、僧侶（仏式）、神官（神式）、牧師（プロテスタント）、神父（カトリック）等によって行われ、無宗教での祭祀、又は祭祀者を立てない祭祀も行われている。なお、祭祀者席は祭祀者の席であり、会葬者席と祭壇との間に設けられる。
【０００８】
紗幕とは、演劇の舞台などで用いられる薄い生地の幕で、織目が粗く透ける布地で作成されている。紗幕は、前からライトを当てた場合、紗幕の後側（舞台側）が見えず、いわゆる幕として使用でき、幕の後側をライト等によって明るくした場合、紗幕を通して舞台側が透けて見えるという効果を持たせることができる。紗幕には、織り目の四角い寒冷紗、亀甲形の亀甲紗があり、また、色の違いで白紗、黒紗、グレー紗、紺紗、モヤ紗、また、絵が描いてある絵紗等があるが、本発明では白紗が好適に使用され、縫い目のない英国紗（英国幕）を使用するのが好ましい。
【０００９】
請求項２記載の葬祭方法は、請求項１記載の葬祭方法において、前記紗幕には前記会葬者席側から映像が照射される。
請求項２記載の葬祭方法において、照射される映像としては、花畑、宇宙、海等の背景の画像、故人の在りし日の写真、また、ビデオ等の動画等があり、これらを映写機、プロジェクタ等で紗幕に写し出すことができる。また、紗幕には、弔電、メッセージ等を投影することもできる。
【００１０】
請求項３記載の葬祭方法は、請求項１及び２記載の葬祭方法において、前記スポットライトは、前記葬祭会場内の司会者席に設置されるリモコンで操作が可能である。
請求項３記載の葬祭方法において、リモコンは有線でも、無線でもよい。また、スポットライトを首振り可能として、紗幕と祭壇の間において、弔辞を述べる弔辞者や挨拶をする親族を照らすこともできる。
【発明の効果】
【００１１】
請求項１〜３記載の葬祭方法は、スポットライトで照射された遺影を祭壇と会葬者席との間に配置された紗幕を通して見ることができるので、遺影以外の祭壇等はよく見えず、遺影が浮き立って強調され、故人を偲ぶことができる。
特に、請求項２記載の葬祭方法は、紗幕に会葬者席側から映像が照射されるので、紗幕を通して見える遺影の周りに映像を写し出すことができる。
請求項３記載の葬祭方法は、スポットライトは、葬祭会場内の司会者席に設置されるリモコンで操作が可能であるので、祭祀に合わせて操作し易い。
【発明を実施するための最良の形態】
【００１２】
続いて、添付した図面を参照しつつ、本発明を具体化した実施の形態につき説明し、本発明の理解に供する。
ここで、図１は本発明の一実施の形態に係る葬祭方法を適用した葬祭会場の側面図、図２は同葬祭会場の正面図である。
【００１３】
図１及び図２を参照して、本発明の一実施の形態に係る葬祭方法を適用した葬祭会場１０について説明する。
葬祭、例えば、仏式の葬儀及び告別式が行われる葬祭会場１０には、その正面入り口奥側に遺影１１が配置された祭壇１２が設けられている。また、葬祭会場１０には、葬儀及び告別式に参列する会葬者の席（以下、会葬者席という）１３が入り口手前側に設けられ、葬儀及び告別式を司る祭祀者、いわゆる僧侶の席（以下、祭祀者席という）１４が祭壇１２と会葬者席１３の間に設けられている。更に、葬祭会場１０には、祭壇１２の手前に柩１５が、祭祀者席１４の後には会葬者用の焼香台１６が配置されている。また、葬祭会場１０の天井は、祭壇１２の手前から祭祀者席１４までの一部分が高くなるように形成されている。
【００１４】
葬祭会場１０には、祭壇１２と会葬者席１３との間（本実施の形態では、祭祀者席１４と柩１５との間である）に薄く透き通った素材（織目が粗く透ける布地）でできた白い幕、いわゆる紗幕（本実施の形態では白紗）１７が、葬祭会場１０の天井に設けられた図示しない昇降手段によって吊り下げられている。紗幕１７は、縫い目のない英国紗で形成され、高さが葬祭会場１０の天井近くから床まで、また幅が祭壇１２の主要部分を占める長さである。なお、紗幕１７は昇降手段によってドレープ状に折り畳まれて天井に格納される。
【００１５】
葬祭会場１０には、遺影１１を照らすスポットライト１８が祭壇１２と紗幕１７との間の天井部分に設けられている。会葬者は、スポットライト１８によって照らされた遺影１１を紗幕１７を介して見ることができる。スポットライト１８は、葬祭会場１０内の図示しない司会者席に設置される図示しないリモコンで光の強さの調節、首振り角度等の操作が可能である。
【００１６】
また、葬祭会場１０の祭壇１２の手前側の天井には祭壇１２を照らす祭壇用ライト１９が、祭壇１２の奥側の天井には祭壇１２の背部に設けられるホリゾント幕２０を照らすアッパーホリゾントライト２１がそれぞれ５つずつ設けられている。祭壇用ライト１９は、祭壇１２及び祭壇１２の手前側を照射できるように、首振り可能となっている。また、アッパーホリゾントライト２１は、セロファン等で色を付けた光を照射してホリゾント幕２０の色を変えることができる。
【００１７】
更に、葬祭会場１０の天井には、スポットライト１８、祭壇用ライト１９、及びアッパーホリゾントライト２１を会葬者からそれぞれ隠す一文字幕２２〜２４が設けられ、更に、会葬者から祭壇１２の上部付近の天井部を隠す一文字幕２５が取付けられている。また、紗幕１７に映像を照射するプロジェクタ２５ａが紗幕１７から会葬者席１３側の天井に取付けられている。また、紗幕１７の左右の両端にはそれぞれ袖幕２６、２７が設けられ、更にその外側にはサイド幕２８、２９がそれぞれ設けられている。一文字幕２２〜２５、袖幕２６、２７、及びサイド幕２８、２９は、葬祭会場１０の壁と同系色、例えば茶色の生地で作成されている。
【００１８】
次に、本発明の一実施の形態に係る葬祭方法において、葬祭会場１０で仏式の葬儀及び告別式を行う場合について説明する。
通常、葬儀及び告別式は、参列者着席、開式の辞、僧侶入堂、読経、弔辞、弔電、遺族の焼香を行う葬儀と、それに続いて一般会葬者の焼香、僧侶退堂、喪主又は親族代表挨拶、及び閉式の辞を行う告別式から構成されている。
【００１９】
参列者着席までの間、つまり、葬儀が行われる前には紗幕１７が降ろされ、遺影１１にスポットライト１８から光を当て、参列者は紗幕１７を通して遺影１１を会葬者席１３側から見ることができる。また、この間には紗幕１７を通して見える遺影１１の周りの紗幕１７にプロジェクタ２５ａで花畑等の背景画像を写し出すこともできる。開式の辞を行う前に紗幕１７を昇降手段によって天井に格納し、僧侶の読経の後、再び昇降手段によって紗幕１７を降ろし、弔辞の間にはスポットライト１８で照らされた遺影１１と共に故人の生い立ち等の写真、ビデオ等をプロジェクタ２５ａで紗幕１７に写し出してもよい。
【００２０】
また、弔辞者が紗幕１７と祭壇１２の間で弔辞を読む場合には、図示しない弔辞者用のスポットライトを弔辞者に照射して、紗幕１７を通して会葬者席１３側から見えるようにしてもよい。遺影１１用のスポットライト１８をリモコン操作によって弔辞者を照らしてもよいがその間遺影１１が見えなくなるので、スポットライト１８の照射角度を広げて遺影１１及び弔辞者を照らしてもよい。
【００２１】
また、告別式終了後の別れの対面の際には、紗幕１７を降ろし、スポットライト１８を柩１５に向けて柩内１５の遺体を照らしてもよい。会葬者席１３側からは、遺族や近親者が故人との最後の対面をしている姿はあまり見えず、花や故人の好物、愛用品などを柩１５内の遺体の周囲に納めている所を見ることができる。なお、この際には、祭壇用ライト１９を強く照射させたり、スポットライト１８の照射角度を広くすることによって、遺族や近親者を照らすこともできる。
【００２２】
本発明は、前記した実施の形態に限定されるものではなく、本発明の要旨を変更しない範囲での変更は可能であり、例えば、前記した実施の形態や変形例の一部又は全部を組み合わせて本発明の葬祭方法を構成する場合も本発明の権利範囲に含まれる。
例えば、前記実施の形態の葬祭方法において、仏式による葬儀及び告別式について説明したが、祭壇に遺影を飾るものであれば、祭祀者が行う仏式、神式、プロテスタント、カトリック等のいずれの祭祀でもよい。また、紗幕を上げている期間を開式の辞から読経までとしたが、特に弔辞の時に紗幕を降ろし、故人を偲ぶのがよい。更に、前記実施の形態の葬祭方法は、無宗教での祭祀、又は祭祀者を立てない祭祀においても行うことができる。この場合、開式から閉式までの間、紗幕を降ろして、紗幕に映像を投影し続けてもよく、任意に紗幕を昇降させてもよい。
【００２３】
また、紗幕を柩と祭祀者席との間に設置したが、祭壇と会葬者席との間に設置すればよく、例えば、祭壇と柩との間、祭祀者席と会葬者席との間等に設けることができる。更に、紗幕を吊り下げ式で上下に昇降可能に設置したが、吊り下げ式で両側又は片側に開くように設置してもよい。また、例えば公民館等の既存の施設を葬祭会場とする場合などは、枠体に装着した紗幕を床に立設し、遺影用のスポットライトも載置台等に載せて使用してもよい。
【図面の簡単な説明】
【００２４】
【図１】本発明の一実施の形態に係る葬祭方法を適用した葬祭会場の側面図である。
【図２】同葬祭会場の正面図である。
【符号の説明】
【００２５】
１０：葬祭会場、１１：遺影、１２：祭壇、１３：会葬者席、１４：祭祀者席、１５：柩、１６：焼香台、１７：紗幕、１８：スポットライト、１９：祭壇用ライト、２０：ホリゾント幕、２１：アッパーホリゾントライト、２２〜２５：一文字幕、２５ａ：プロジェクタ、２６、２７：袖幕、２８、２９：サイド幕
【図１】
2005253528.tif 000003
【図２】
2005253528.tif 000004